(57)【要約】【課題】契約の申込が行われたアクセスに係るハイパーリンクを特定する。【解決手段】ウェブサーバ１０は契約申込に係るウェブサイトを公開しており、外部からアクセスを受け付けた場合、アクセスに係るＵＲＬを随時記録したログデータを作成し、作成したログデータを解析サーバ４０へ転送する。解析サーバ４０は予めハイパーリンクとＵＲＬに付されたプロモーション管理ＩＤを対応付けたプロモーション管理テーブルを記憶しており、転送されてきたログデータに基づき契約の申込が行われたか否かを判断し、契約の申込が行われたアクセスに対してプロモーション管理テーブルを用いてハイパーリンクの特定処理を行う。【選択図】図１
2007109096.tif 000002
【特許請求の範囲】
【請求項１】
複数のウェブページを有するウェブサイトへアクセスを指定した複数のハイパーリンクの中から該ウェブサイトへアクセスを行わせたハイパーリンクを解析サーバで特定するハイパーリンク特定方法において、
前記解析サーバは、
アクセスログより前記ウェブサイトが有するウェブページの中の特定のウェブページまで所要の順番でアクセスが進んだか否かを判断し、
前記特定のウェブページまで所要の順番でアクセスが進んだと判断した場合、該アクセスに係るハイパーリンクを特定することを特徴とするハイパーリンク特定方法。
【請求項２】
ウェブサーバが公開する複数のウェブページを有するウェブサイトへアクセスを指定しており、固有の識別データを付加したＵＲＬを有する複数のハイパーリンクの中から、各ハイパーリンクを前記識別データに対応付けたテーブルを記憶する解析サーバで前記ウェブサイトへアクセスを行わせたハイパーリンクを特定するハイパーリンク特定方法であって、
前記ウェブサーバは、
前記ウェブサイトへのアクセスを受け付けた場合、該アクセスに係るＵＲＬを記録したログデータを作成し、
該ログデータを前記解析サーバへ送信し、
前記解析サーバは、
送信されてきたログデータより前記ウェブサイトが有するウェブページの中の特定のウェブページまで所要の順番でアクセスが進んだか否かを判断し、
前記特定のウェブページまで所要の順番でアクセスが進んだと判断した場合、前記ログデータに記録されたＵＲＬの識別データ及び前記テーブルに基づき前記アクセスに係るハイパーリンクを特定することを特徴とするハイパーリンク特定方法。
【請求項３】
前記特定のウェブページは、契約の申込に係るページであることを特徴とする請求項１又は請求項２に記載のハイパーリンク特定方法。
【請求項４】
契約の成立又は契約の成立に伴う行為の発生の特定を行うサーバを用意し、ウェブサーバが公開する契約の申込に係るウェブサイトへアクセスを指定した複数のハイパーリンクの中から該ウェブサイトへアクセスを行わせたハイパーリンクを解析サーバで特定するハイパーリンク特定方法であって、
前記ウェブサーバは、
前記ウェブサイトへのアクセスにより契約の申込が行われたか否かを判断し、
前記契約の申込が行われたことを判断した場合、申込完了データを作成して前記サーバへ送信し、
前記サーバは、
送信されてきた申込完了データに対して契約の成立又は契約の成立に伴う行為の発生の特定を行った場合、前記申込完了データを前記解析サーバへ送信し、
前記解析サーバは、
送信されてきた申込完了データを受信した場合、該申込完了データが作成されたアクセスに係るハイパーリンクを特定することを特徴とするハイパーリンク特定方法。
【請求項５】
契約の成立又は契約の成立に伴う行為の発生を特定するサーバを用意し、ウェブサーバが公開する契約の申込に係るウェブサイトへアクセスを指定しており、固有の識別データを付加したＵＲＬを有する複数のハイパーリンクの中から、各ハイパーリンクを前記識別データに対応付けたテーブルを記憶する解析サーバで前記ウェブサイトへアクセスを行わせたハイパーリンクを特定するハイパーリンク特定方法であって、
前記ウェブサーバは、
前記ウェブサイトへのアクセスを受け付けた場合、該アクセスに係るＵＲＬを記録したログデータを作成し、
前記ウェブサイトへのアクセスにより契約の申込が行われたか否かを判断し、
前記契約の申込が行われたことを判断した場合、申込完了データを作成して前記サーバへ送信し、
前記申込完了データを契約の申込が行われたアクセスに対応付けて前記ログデータに追加し、
該ログデータを前記解析サーバへ送信し、
前記サーバは、
送信されてきた申込完了データに対して契約の成立又は契約の成立に伴う行為の発生を特定した場合、該申込完了データを前記解析サーバへ送信し、
前記解析サーバは、
送信されてきた申込完了データに対応するアクセスに係るＵＲＬを送信されてきたログデータに基づき特定し、
特定したＵＲＬを有するハイパーリンクを前記テーブルに基づき特定することを特徴とするハイパーリンク特定方法。
【請求項６】
契約の成立又は契約の成立に伴う行為の発生を特定する第１サーバと該第１サーバからデータを受信する第２サーバとを用意し、ウェブサーバが公開する契約の申込に係るウェブサイトへアクセスを指定しており、固有の識別データを付加したＵＲＬを有する複数のハイパーリンクの中から、各ハイパーリンクを前記識別データに対応付けたテーブルを記憶する解析サーバで前記ウェブサイトへアクセスを行わせたハイパーリンクを特定するハイパーリンク特定方法であって、
前記ウェブサーバは、
前記ウェブサイトへのアクセスを受け付けた場合、該アクセスに係るアクセス識別データを作成し、
該アクセス識別データ及びアクセスに係るＵＲＬを対応付けて記録したログデータを作成し、
該ログデータを前記解析サーバへ送信し、
前記ウェブサイトへのアクセスにより契約の申込が行われたか否かを判断し、
前記契約の申込が行われたことを判断した場合、申込完了データを作成して前記第１サーバへ送信し、
前記申込完了データ及び該申込完了データの作成に係るアクセスに応じたアクセス識別データを対応付けて前記第２サーバへ送信し、
前記第１サーバは、
送信されてきた申込完了データに応じた完了番号データを作成し、
該完了番号データ及び前記申込完了データを対応付けて前記第２サーバへ送信し、
契約の成立又は契約の成立に伴う行為の発生を特定した場合、特定した契約の成立又は契約の成立に伴う行為の発生に係る前記完了番号データを前記解析サーバへ送信し、
前記第２サーバは、
夫々送信されてきたアクセス識別データ、及び完了番号データを共通の申込完了データに基づき組み合わせてデータベースを作成し、
該データベースを前記解析サーバへ送信し、
前記解析サーバは、
第２サーバから送信されてきたデータベースに基づき第１サーバから送信されてきた完了番号データに組み合わされたアクセス識別データを特定し、
特定したアクセス識別データに係るアクセスのＵＲＬをウェブサーバから送信されてきたログデータに基づき特定し、
特定したＵＲＬを有するハイパーリンクを前記テーブルに基づき特定することを特徴とするハイパーリンク特定方法。
【請求項７】
前記契約は消費者金融取引に係るものである請求項３乃至請求項６のいずれかに記載のハイパーリンク特定方法。
【請求項８】
ウェブサーバが公開する契約の申込に係るウェブサイトへのアクセスに係るデータと、契約管理サーバが作成するデータとを組み合わせたデータベースをデータベースサーバで作成するデータベース作成方法であって、
前記ウェブサーバは、
前記ウェブサイトへのアクセスを受け付けた場合、該アクセスに係るアクセス識別データを作成し、
前記ウェブサイトへのアクセスにより契約の申込が行われたか否かを判断し、
前記契約の申込が行われたことを判断した場合、申込完了データを作成し、
該申込完了データを前記契約管理サーバへ送信し、
前記申込完了データ及び該申込完了データの作成に係るアクセスに応じたアクセス識別データを対応付けて前記データベースサーバへ送信し、
前記契約管理サーバは、
送信されてきた申込完了データに応じた完了番号データを作成し、
該完了番号データ及び前記申込完了データを対応付けて前記データベースサーバへ送信し、
前記データベースサーバは、
夫々送信されてきたアクセス識別データ、及び完了番号データを共通の申込完了データに基づき組み合わせてデータベースを作成することを特徴とするデータベース作成方法。
【請求項９】
複数のウェブページを有するウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムにおいて、
前記解析サーバは、
アクセスログより前記ウェブサイトが有するウェブページの中の特定のウェブページまで所要の順番でアクセスが進んだか否かを判断する進行判断手段と、
該進行判断手段が前記特定のウェブページまで所要の順番でアクセスが進んだと判断した場合、該アクセスに係るハイパーリンクを特定するリンク特定手段と
を備えることを特徴とするハイパーリンク特定システム。
【請求項１０】
複数のウェブページを有するウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムにおいて、
前記ハイパーリンクは、固有の識別データを付加したＵＲＬを有しており、
前記ウェブサーバは、
前記ウェブサイトへのアクセスを受け付けた場合、該アクセスに係るＵＲＬを記録したログデータを作成する手段と、
該ログデータを前記解析サーバへ送信する手段と
を備え、
前記解析サーバは、
各ハイパーリンクを前記識別データに対応付けたテーブルを記憶する記憶手段と、
送信されてきたログデータより前記ウェブサイトが有するウェブページの中の特定のウェブページまで所要の順番でアクセスが進んだか否かを判断する進行判断手段と、
該進行判断手段が前記特定のウェブページまで所要の順番でアクセスが進んだと判断した場合、前記ログデータに記録されたＵＲＬの識別データ及び前記テーブルに基づき前記アクセスに係るハイパーリンクを特定するリンク特定手段と
を備えることを特徴とするハイパーリンク特定システム。
【請求項１１】
前記特定のウェブページは、契約の申込に係るページであることを特徴とする請求項９又は請求項１０に記載のハイパーリンク特定システム。
【請求項１２】
サーバと、契約の申込に係るウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムであって、
前記ウェブサーバは、
前記ウェブサイトへのアクセスにより契約の申込が行われたか否かを判断する判断手段と、
該判断手段が契約の申込が行われたことを判断した場合、申込完了データを作成する手段と、
該申込完了データを前記サーバへ送信する手段と
を備え、
前記サーバは、
送信されてきた申込完了データに対して契約の成立又は契約の成立に伴う行為の発生を特定する特定手段と、
該特定手段が契約の成立又は契約の成立に伴う行為の発生を特定した場合、前記申込完了データを前記解析サーバへ送信する手段と
を備え、
前記解析サーバは、
送信されてきた申込完了データが作成されたアクセスに係るハイパーリンクを特定するリンク特定手段を備えることを特徴とするハイパーリンク特定システム。
【請求項１３】
サーバと、契約の申込に係るウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムであって、
前記ハイパーリンクは、固有の識別データを付加したＵＲＬを有しており、
前記ウェブサーバは、
前記ウェブサイトへのアクセスを受け付けた場合、該アクセスに係るＵＲＬを記録したログデータを作成する手段と、
前記ウェブサイトへのアクセスにより契約の申込が行われたか否かを判断する判断手段と、
該判断手段が契約の申込が行われたことを判断した場合、申込完了データを作成する手段と、
該申込完了データを契約の申込が行われたアクセスに対応付けて前記ログデータに追加する手段と、
前記申込完了データを前記サーバへ送信する手段と、
前記ログデータを前記解析サーバへ送信する手段と
を備え、
前記サーバは、
送信されてきた申込完了データに対して契約の成立又は契約の成立に伴う行為の発生を特定する特定手段と、
該特定手段が契約の成立又は契約の成立に伴う行為の発生を特定した場合、前記申込完了データを前記解析サーバへ送信する手段と
を備え、
前記解析サーバは、
各ハイパーリンクを前記識別データに対応付けたテーブルを記憶する記憶手段と、
前記サーバから送信されてきた申込完了データに対応するアクセスに係るＵＲＬを前記ウェブサーバから送信されてきたログデータより特定するＵＲＬ特定手段と、
該ＵＲＬ特定手段が特定したＵＲＬを有するハイパーリンクを前記テーブルに基づき特定するリンク特定手段と
を備えることを特徴とするハイパーリンク特定システム。
【請求項１４】
第１サーバと、第２サーバと、契約の申込に係るウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムであって、
前記ハイパーリンクは、固有の識別データを付加したＵＲＬを有しており、
前記ウェブサーバは、
前記ウェブサイトへのアクセスを受け付けた場合、該アクセスに係るアクセス識別データを作成する手段と、
該アクセス識別データ及びアクセスに係るＵＲＬを対応付けて記録したログデータを作成する手段と、
前記ウェブサイトへのアクセスにより契約の申込が行われたか否かを判断する判断手段と、
該判断手段が契約の申込が行われたことを判断した場合、申込完了データを作成する手段と、
該申込完了データ及び該申込完了データの作成に係るアクセスに応じたアクセス識別データを対応付けて前記第２サーバへ送信する手段と、
前記申込完了データを前記第１サーバへ送信する手段と、
前記ログデータを前記解析サーバへ送信する手段と
を備え、
前記第１サーバは、
送信されてきた申込完了データに応じた完了番号データを作成する手段と、
該完了番号データに対応して契約の成立又は契約の成立に伴う行為の発生を特定する特定手段と、
該特定手段が契約の成立又は契約の成立に伴う行為の発生を特定した場合、対応する完了番号データを前記解析サーバへ送信する手段と、
前記完了番号データ及び申込完了データを対応付けて前記第２サーバへ送信する手段と
を備え、
前記第２サーバは、
夫々送信されてきたアクセス識別データ、及び完了番号データを共通の申込完了データに基づき組み合わせてデータベースを作成する手段と、
該データベースを前記解析サーバへ送信する手段と
を備え、
前記解析サーバは、
各ハイパーリンクを前記識別データに対応付けたテーブルを記憶する記憶手段と、
第２サーバから送信されてきたデータベースに基づき第１サーバから送信されてきた完了番号データに組み合わされたアクセス識別データを特定するデータ特定手段と、
該データ特定手段が特定したアクセス識別データに係るアクセスのＵＲＬをウェブサーバから送信されてきたログデータに基づき特定するＵＲＬ特定手段と、
該ＵＲＬ特定手段が特定したＵＲＬを有するハイパーリンクを前記テーブルに基づき特定するリンク特定手段と
を備えることを特徴とするハイパーリンク特定システム。
【請求項１５】
前記契約は消費者金融取引に係るものであることを特徴とする請求項１１乃至請求項１４のいずれかに記載のハイパーリンク特定システム。
【請求項１６】
ウェブサーバが公開する契約の申込に係るウェブサイトへのアクセスに係るデータと、契約管理サーバが作成するデータとを組み合わせたデータベースを作成するデータベースサーバを備えるデータベース作成システムであって、
前記ウェブサーバは、
前記ウェブサイトへのアクセスを受け付けた場合、該アクセスに係るアクセス識別データを作成する手段と、
前記ウェブサイトへのアクセスにより契約の申込が行われたか否かを判断する判断手段と、
該判断手段が契約の申込が行われたことを判断した場合、申込完了データを作成する手段と、
該申込完了データを前記契約管理サーバへ送信する手段と、
前記申込完了データ及び該申込完了データの作成に係るアクセスに応じたアクセス識別データを対応付けて前記データベースサーバへ送信する手段と
を備え、
前記契約管理サーバは、
送信されてきた申込完了データに応じた完了番号データを作成する手段と、
該完了番号データ及び前記申込完了データを対応付けて前記データベースサーバへ送信する手段と
を備え、
前記データベースサーバは、
夫々送信されてきたアクセス識別データ、及び完了番号データを共通の申込完了データに基づき組み合わせてデータベースを作成する手段を備えることを特徴とするデータベース作成システム。
【請求項１７】
複数のウェブページを有するウェブサイトへアクセスを行わせたハイパーリンクを特定するリンク特定装置において、
アクセスログより前記ウェブサイトが有するウェブページの中の特定のウェブページまで所要の順番でアクセスが進んだか否かを判断する進行判断手段と、
該進行判断手段が前記特定のウェブページまで所要の順番でアクセスが進んだと判断した場合、該アクセスに係るハイパーリンクを特定するリンク特定手段と
を備えることを特徴とするリンク特定装置。
【請求項１８】
ウェブサイトへアクセスを行わせたハイパーリンクを特定するリンク特定装置において、
外部からハイパーリンクを特定する処理を開始させるトリガーを受け付けるトリガー受付手段と、
該トリガー受付手段がトリガーを受け付けた場合、ハイパーリンクを特定するリンク特定手段と
を備えることを特徴とするリンク特定装置。
【請求項１９】
コンピュータに、複数のウェブページを有するウェブサイトへアクセスを行わせたハイパーリンクを特定させるためのコンピュータプログラムにおいて、
コンピュータを
アクセスログより前記ウェブサイトが有するウェブページの中の特定のウェブページまで所要の順番でアクセスが進んだか否かを判断する進行判断手段と、
該進行判断手段が前記特定のウェブページまで所要の順番でアクセスが進んだと判断した場合、該アクセスに係るハイパーリンクを特定するリンク特定手段として機能させることを特徴とするコンピュータプログラム。
【請求項２０】
コンピュータに、ウェブサイトへアクセスを行わせたハイパーリンクを特定させるためのコンピュータプログラムにおいて、
コンピュータを
外部からハイパーリンクを特定する処理を開始させるトリガーを受け付けるトリガー受付手段と、
該トリガー受付手段がトリガーを受け付けた場合、ハイパーリンクを特定するリンク特定手段として機能させることを特徴とするコンピュータプログラム。
【発明の詳細な説明】
【技術分野】
【０００１】
本発明はハイパーリンクから所要のウェブサイトにアクセスされた場合、該ウェブサイトへアクセスを導いたハイパーリンクを特定するハイパーリンク特定方法、ハイパーリンク特定システム、リンク特定装置及びコンピュータプログラムに関すると共に、ハイパーリンクの特定に利用できるデータベースを作成するデータベース作成方法、及びデータベース作成システムに関する。
【背景技術】
【０００２】
従来、所要のウェブサイトへアクセスする前にアクセスしていたアクセス先を特定する技術に様々なものが存在する（特許文献１〜３参照）。例えば、ウェブサイト内のページ遷移を特定する「クッキー；ｃｏｏｋｉｅ」と、ウェブサイトのリンク先となる各ハイパーリンクに付与した固有のＩＤ（プロモーション管理ＩＤ）とを併用することで、ウェブサイトへアクセスを導いたハイパーリンクを特定することが可能になる。
【０００３】
上述したハイパーリンクは、別のウェブサイトが有するウェブページ上に表示される文字又はバナー広告のような画像に設けられることが多く、ハイパーリンクが設けられた文字又は画像をコンピュータユーザがクリックすることで、リンク先のウェブサイトへアクセスが切り替わる。また、ウェブサイトでなくコンピュータユーザへ送信する電子メールの本文にハイパーリンクとなるＵＲＬを記入しておき、このＵＲＬをコンピュータユーザにクリックさせることで、リンク先のウェブサイトへアクセスを導くことも行われている。よって、所要のウェブサイトへ多くのアクセスを導くためには、様々な形態でハイパーリンクを設けておくことが有効となる。
【０００４】
その結果、各ハイパーリンクがどの程度アクセスを導いているかを確認するため、アクセスを導いたハイパーリンクを特定する技術の重要性が高まっている。特に、近時では消費者金融取引をはじめとする各種ビジネスに関する契約の申込にインターネットが広く利用されており、このようなビジネスに係るウェブサイトにおいてはアクセスを導いた数に応じてハイパーリンクを設けている者に報酬が支払われることもあるため、アクセスを導いたハイパーリンクを効率的に特定することが必要になっている。
【特許文献１】特開２０００−３５７１４１号公報
【特許文献２】特開２００２−１３２８００号公報
【特許文献３】特開２００２−２８８０７０号公報
【発明の開示】
【発明が解決しようとする課題】
【０００５】
従来のアクセスを導いたハイパーリンクの特定は、全般的なアクセスに対して処理を行うため、所要の条件を満たす場合にのみハイパーリンクを特定する処理を行うことに対応できないと云う問題がある。
【０００６】
例えば、ウェブサイト内の所要のウェブページまで閲覧が進んだとき、この閲覧のアクセスを導いたハイパーリンクのみを特定したい場合、従来の技術ではウェブサイトの全てのアクセスに対して特定処理を行い、その中から上記条件に合致するものを見つけることとなり、効率的な特定処理を実現できなかった。
【０００７】
また、ビジネスに係るウェブサイトへアクセスを導くことに関しては、ウェブページでの契約の申込、さらにはウェブサーバにおける処理とは関係しない現実世界での契約成立、契約成立に伴う行為の発生等を条件にして報酬が算定されることも多くなっている。しかしながら従来の様々な技術では、上述した各条件に対して一連の処理によりアクセスを導いたハイパーリンクを特定できないと云う問題がある。さらに、従来の技術ではウェブサーバにおける処理とは関係しない現実世界の条件を取り込んでハイパーリンクの特定に利用できるデータベースを効率的に作成するのが困難であると云う問題がある。
【０００８】
本発明は、斯かる問題に鑑みてなされたものであり、所要のウェブページまでアクセスが進んだ場合、又は、外部から処理を開始させるトリガーとなるデータを受け付けた場合に対してハイパーリンクの特定を行うことにより、効率的なリンク特定処理を実現したハイパーリンク特定方法、ハイパーリンク特定システム、リンク特定装置及びコンピュータプログラムを提供することを目的とする。
また、本発明は、契約の申込ページまでアクセスが進んだこと、契約が成立したこと、契約成立に伴う行為が発生したことに基づきハイパーリンクの特定処理を行うことにより、現在のビジネス形態の報酬算定に対応し得るリンク特定処理を可能にしたハイパーリンク特定方法及びハイパーリンク特定システムを提供することを目的とする。
【０００９】
さらに、本発明は、ハイパーリンクの特定に利用可能であり、ウェブサーバに対するアクセスの条件と現実世界の条件とを組み合わせたデータベースを作成するデータベース作成方法、及びデータベース作成システムを提供することを目的とする。
【課題を解決するための手段】
【００１０】
上記課題を解決するために、第１発明に係るハイパーリンク特定方法は、複数のウェブページを有するウェブサイトへアクセスを指定した複数のハイパーリンクの中から該ウェブサイトへアクセスを行わせたハイパーリンクを解析サーバで特定するハイパーリンク特定方法において、前記解析サーバは、アクセスログより前記ウェブサイトが有するウェブページの中の特定のウェブページまで所要の順番でアクセスが進んだか否かを判断し、前記特定のウェブページまで所要の順番でアクセスが進んだと判断した場合、該アクセスに係るハイパーリンクを特定することを特徴とする。
【００１１】
第２発明に係るハイパーリンク特定方法は、ウェブサーバが公開する複数のウェブページを有するウェブサイトへアクセスを指定しており、固有の識別データを付加したＵＲＬを有する複数のハイパーリンクの中から、各ハイパーリンクを前記識別データに対応付けたテーブルを記憶する解析サーバで前記ウェブサイトへアクセスを行わせたハイパーリンクを特定するハイパーリンク特定方法であって、前記ウェブサーバは、前記ウェブサイトへのアクセスを受け付けた場合、該アクセスに係るＵＲＬを記録したログデータを作成し、該ログデータを前記解析サーバへ送信し、前記解析サーバは、送信されてきたログデータより前記ウェブサイトが有するウェブページの中の特定のウェブページまで所要の順番でアクセスが進んだか否かを判断し、前記特定のウェブページまで所要の順番でアクセスが進んだと判断した場合、前記ログデータに記録されたＵＲＬの識別データ及び前記テーブルに基づき前記アクセスに係るハイパーリンクを特定することを特徴とする。
【００１２】
第３発明に係るハイパーリンク特定方法は、前記特定のウェブページは、契約の申込に係るページであることを特徴とする。
【００１３】
第４発明に係るハイパーリンク特定方法は、契約の成立又は契約の成立に伴う行為の発生の特定を行うサーバを用意し、ウェブサーバが公開する契約の申込に係るウェブサイトへアクセスを指定した複数のハイパーリンクの中から該ウェブサイトへアクセスを行わせたハイパーリンクを解析サーバで特定するハイパーリンク特定方法であって、前記ウェブサーバは、前記ウェブサイトへのアクセスにより契約の申込が行われたか否かを判断し、前記契約の申込が行われたことを判断した場合、申込完了データを作成して前記サーバへ送信し、前記サーバは、送信されてきた申込完了データに対して契約の成立又は契約の成立に伴う行為の発生の特定を行った場合、前記申込完了データを前記解析サーバへ送信し、前記解析サーバは、送信されてきた申込完了データを受信した場合、該申込完了データが作成されたアクセスに係るハイパーリンクを特定することを特徴とする。
【００１４】
第５発明に係るハイパーリンク特定方法は、契約の成立又は契約の成立に伴う行為の発生を特定するサーバを用意し、ウェブサーバが公開する契約の申込に係るウェブサイトへアクセスを指定しており、固有の識別データを付加したＵＲＬを有する複数のハイパーリンクの中から、各ハイパーリンクを前記識別データに対応付けたテーブルを記憶する解析サーバで前記ウェブサイトへアクセスを行わせたハイパーリンクを特定するハイパーリンク特定方法であって、前記ウェブサーバは、前記ウェブサイトへのアクセスを受け付けた場合、該アクセスに係るＵＲＬを記録したログデータを作成し、前記ウェブサイトへのアクセスにより契約の申込が行われたか否かを判断し、前記契約の申込が行われたことを判断した場合、申込完了データを作成して前記サーバへ送信し、前記申込完了データを契約の申込が行われたアクセスに対応付けて前記ログデータに追加し、該ログデータを前記解析サーバへ送信し、前記サーバは、送信されてきた申込完了データに対して契約の成立又は契約の成立に伴う行為の発生を特定した場合、該申込完了データを前記解析サーバへ送信し、前記解析サーバは、送信されてきた申込完了データに対応するアクセスに係るＵＲＬを送信されてきたログデータに基づき特定し、特定したＵＲＬを有するハイパーリンクを前記テーブルに基づき特定することを特徴とする。
【００１５】
第６発明に係るハイパーリンク特定方法は、契約の成立又は契約の成立に伴う行為の発生を特定する第１サーバと該第１サーバからデータを受信する第２サーバとを用意し、ウェブサーバが公開する契約の申込に係るウェブサイトへアクセスを指定しており、固有の識別データを付加したＵＲＬを有する複数のハイパーリンクの中から、各ハイパーリンクを前記識別データに対応付けたテーブルを記憶する解析サーバで前記ウェブサイトへアクセスを行わせたハイパーリンクを特定するハイパーリンク特定方法であって、前記ウェブサーバは、前記ウェブサイトへのアクセスを受け付けた場合、該アクセスに係るアクセス識別データを作成し、該アクセス識別データ及びアクセスに係るＵＲＬを対応付けて記録したログデータを作成し、該ログデータを前記解析サーバへ送信し、前記ウェブサイトへのアクセスにより契約の申込が行われたか否かを判断し、前記契約の申込が行われたことを判断した場合、申込完了データを作成して前記第１サーバへ送信し、前記申込完了データ及び該申込完了データの作成に係るアクセスに応じたアクセス識別データを対応付けて前記第２サーバへ送信し、前記第１サーバは、送信されてきた申込完了データに応じた完了番号データを作成し、該完了番号データ及び前記申込完了データを対応付けて前記第２サーバへ送信し、契約の成立又は契約の成立に伴う行為の発生を特定した場合、特定した契約の成立又は契約の成立に伴う行為の発生に係る前記完了番号データを前記解析サーバへ送信し、前記第２サーバは、夫々送信されてきたアクセス識別データ、及び完了番号データを共通の申込完了データに基づき組み合わせてデータベースを作成し、該データベースを前記解析サーバへ送信し、前記解析サーバは、第２サーバから送信されてきたデータベースに基づき第１サーバから送信されてきた完了番号データに組み合わされたアクセス識別データを特定し、特定したアクセス識別データに係るアクセスのＵＲＬをウェブサーバから送信されてきたログデータに基づき特定し、特定したＵＲＬを有するハイパーリンクを前記テーブルに基づき特定することを特徴とする。
【００１６】
第７発明に係るハイパーリンク特定方法は、前記契約は消費者金融取引に係るものであることを特徴とする。
【００１７】
第８発明に係るデータベース作成方法は、ウェブサーバが公開する契約の申込に係るウェブサイトへのアクセスに係るデータと、契約管理サーバが作成するデータとを組み合わせたデータベースをデータベースサーバで作成するデータベース作成方法であって、前記ウェブサーバは、前記ウェブサイトへのアクセスを受け付けた場合、該アクセスに係るアクセス識別データを作成し、前記ウェブサイトへのアクセスにより契約の申込が行われたか否かを判断し、前記契約の申込が行われたことを判断した場合、申込完了データを作成し、該申込完了データを前記契約管理サーバへ送信し、前記申込完了データ及び該申込完了データの作成に係るアクセスに応じたアクセス識別データを対応付けて前記データベースサーバへ送信し、前記契約管理サーバは、送信されてきた申込完了データに応じた完了番号データを作成し、該完了番号データ及び前記申込完了データを対応付けて前記データベースサーバへ送信し、前記データベースサーバは、夫々送信されてきたアクセス識別データ、及び完了番号データを共通の申込完了データに基づき組み合わせてデータベースを作成することを特徴とする。
【００１８】
第９発明に係るハイパーリンク特定システムは、複数のウェブページを有するウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムにおいて、前記解析サーバは、アクセスログより前記ウェブサイトが有するウェブページの中の特定のウェブページまで所要の順番でアクセスが進んだか否かを判断する進行判断手段と、該進行判断手段が前記特定のウェブページまで所要の順番でアクセスが進んだと判断した場合、該アクセスに係るハイパーリンクを特定するリンク特定手段とを備えることを特徴とする。
【００１９】
第１０発明に係るハイパーリンク特定システムは、複数のウェブページを有するウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムにおいて、前記ハイパーリンクは、固有の識別データを付加したＵＲＬを有しており、前記ウェブサーバは、前記ウェブサイトへのアクセスを受け付けた場合、該アクセスに係るＵＲＬを記録したログデータを作成する手段と、該ログデータを前記解析サーバへ送信する手段とを備え、前記解析サーバは、各ハイパーリンクを前記識別データに対応付けたテーブルを記憶する記憶手段と、送信されてきたログデータより前記ウェブサイトが有するウェブページの中の特定のウェブページまで所要の順番でアクセスが進んだか否かを判断する進行判断手段と、該進行判断手段が前記特定のウェブページまで所要の順番でアクセスが進んだと判断した場合、前記ログデータに記録されたＵＲＬの識別データ及び前記テーブルに基づき前記アクセスに係るハイパーリンクを特定するリンク特定手段とを備えることを特徴とする。
【００２０】
第１１発明に係るハイパーリンク特定システムは、前記特定のウェブページは、契約の申込に係るページであることを特徴とする。
【００２１】
第１２発明に係るハイパーリンク特定システムは、サーバと、契約の申込に係るウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムであって、前記ウェブサーバは、前記ウェブサイトへのアクセスにより契約の申込が行われたか否かを判断する判断手段と、該判断手段が契約の申込が行われたことを判断した場合、申込完了データを作成する手段と、該申込完了データを前記サーバへ送信する手段とを備え、前記サーバは、送信されてきた申込完了データに対して契約の成立又は契約の成立に伴う行為の発生を特定する特定手段と、該特定手段が契約の成立又は契約の成立に伴う行為の発生を特定した場合、前記申込完了データを前記解析サーバへ送信する手段とを備え、前記解析サーバは、送信されてきた申込完了データが作成されたアクセスに係るハイパーリンクを特定するリンク特定手段を備えることを特徴とする。
【００２２】
第１３発明に係るハイパーリンク特定システムは、サーバと、契約の申込に係るウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムであって、前記ハイパーリンクは、固有の識別データを付加したＵＲＬを有しており、前記ウェブサーバは、前記ウェブサイトへのアクセスを受け付けた場合、該アクセスに係るＵＲＬを記録したログデータを作成する手段と、前記ウェブサイトへのアクセスにより契約の申込が行われたか否かを判断する判断手段と、該判断手段が契約の申込が行われたことを判断した場合、申込完了データを作成する手段と、該申込完了データを契約の申込が行われたアクセスに対応付けて前記ログデータに追加する手段と、前記申込完了データを前記サーバへ送信する手段と、前記ログデータを前記解析サーバへ送信する手段とを備え、前記サーバは、送信されてきた申込完了データに対して契約の成立又は契約の成立に伴う行為の発生を特定する特定手段と、該特定手段が契約の成立又は契約の成立に伴う行為の発生を特定した場合、前記申込完了データを前記解析サーバへ送信する手段とを備え、前記解析サーバは、各ハイパーリンクを前記識別データに対応付けたテーブルを記憶する記憶手段と、前記サーバから送信されてきた申込完了データに対応するアクセスに係るＵＲＬを前記ウェブサーバから送信されてきたログデータより特定するＵＲＬ特定手段と、該ＵＲＬ特定手段が特定したＵＲＬを有するハイパーリンクを前記テーブルに基づき特定するリンク特定手段とを備えることを特徴とする。
【００２３】
第１４発明に係るハイパーリンク特定システムは、第１サーバと、第２サーバと、契約の申込に係るウェブサイトを公開するウェブサーバと、該ウェブサイトへアクセスを指定する複数のハイパーリンクの中から前記ウェブサイトへアクセスを行わせたハイパーリンクを特定する解析サーバとを備えるハイパーリンク特定システムであって、前記ハイパーリンクは、固有の識別データを付加したＵＲＬを有しており、前記ウェブサーバは、前記ウェブサイトへのアクセスを受け付けた場合、該アクセスに係るアクセス識別データを作成する手段と、該アクセス識別データ及びアクセスに係るＵＲＬを対応付けて記録したログデータを作成する手段と、前記ウェブサイトへのアクセスにより契約の申込が行われたか否かを判断する判断手段と、該判断手段が契約の申込が行われたことを判断した場合、申込完了データを作成する手段と、該申込完了データ及び該申込完了データの作成に係るアクセスに応じたアクセス識別データを対応付けて前記第２サーバへ送信する手段と、前記申込完了データを前記第１サーバへ送信する手段と、前記ログデータを前記解析サーバへ送信する手段とを備え、前記第１サーバは、送信されてきた申込完了データに応じた完了番号データを作成する手段と、該完了番号データに対応して契約の成立又は契約の成立に伴う行為の発生を特定する特定手段と、該特定手段が契約の成立又は契約の成立に伴う行為の発生を特定した場合、対応する完了番号データを前記解析サーバへ送信する手段と、前記完了番号データ及び申込完了データを対応付けて前記第２サーバへ送信する手段とを備え、前記第２サーバは、夫々送信されてきたアクセス識別データ、及び完了番号データを共通の申込完了データに基づき組み合わせてデータベースを作成する手段と、該データベースを前記解析サーバへ送信する手段とを備え、前記解析サーバは、各ハイパーリンクを前記識別データに対応付けたテーブルを記憶する記憶手段と、第２サーバから送信されてきたデータベースに基づき第１サーバから送信されてきた完了番号データに組み合わされたアクセス識別データを特定するデータ特定手段と、該データ特定手段が特定したアクセス識別データに係るアクセスのＵＲＬをウェブサーバから送信されてきたログデータに基づき特定するＵＲＬ特定手段と、該ＵＲＬ特定手段が特定したＵＲＬを有するハイパーリンクを前記テーブルに基づき特定するリンク特定手段とを備えることを特徴とする。
【００２４】
第１５発明に係るハイパーリンク特定システムは、前記契約は消費者金融取引に係るものであることを特徴とする。
【００２５】
第１６発明に係るデータベース作成システムは、ウェブサーバが公開する契約の申込に係るウェブサイトへのアクセスに係るデータと、契約管理サーバが作成するデータとを組み合わせたデータベースを作成するデータベースサーバを備えるデータベース作成システムであって、前記ウェブサーバは、前記ウェブサイトへのアクセスを受け付けた場合、該アクセスに係るアクセス識別データを作成する手段と、前記ウェブサイトへのアクセスにより契約の申込が行われたか否かを判断する判断手段と、該判断手段が契約の申込が行われたことを判断した場合、申込完了データを作成する手段と、該申込完了データを前記契約管理サーバへ送信する手段と、前記申込完了データ及び該申込完了データの作成に係るアクセスに応じたアクセス識別データを対応付けて前記データベースサーバへ送信する手段とを備え、前記契約管理サーバは、送信されてきた申込完了データに応じた完了番号データを作成する手段と、該完了番号データ及び前記申込完了データを対応付けて前記データベースサーバへ送信する手段とを備え、前記データベースサーバは、夫々送信されてきたアクセス識別データ、及び完了番号データを共通の申込完了データに基づき組み合わせてデータベースを作成する手段を備えることを特徴とする。
【００２６】
第１７発明に係るリンク特定装置は、複数のウェブページを有するウェブサイトへアクセスを行わせたハイパーリンクを特定するリンク特定装置において、アクセスログより前記ウェブサイトが有するウェブページの中の特定のウェブページまで所要の順番でアクセスが進んだか否かを判断する進行判断手段と、該進行判断手段が前記特定のウェブページまで所要の順番でアクセスが進んだと判断した場合、該アクセスに係るハイパーリンクを特定するリンク特定手段とを備えることを特徴とする。
【００２７】
第１８発明に係るリンク特定装置は、ウェブサイトへアクセスを行わせたハイパーリンクを特定するリンク特定装置において、外部からハイパーリンクを特定する処理を開始させるトリガーを受け付けるトリガー受付手段と、該トリガー受付手段がトリガーを受け付けた場合、ハイパーリンクを特定するリンク特定手段とを備えることを特徴とする。
【００２８】
第１９発明に係るコンピュータプログラムは、コンピュータに、複数のウェブページを有するウェブサイトへアクセスを行わせたハイパーリンクを特定させるためのコンピュータプログラムにおいて、コンピュータをアクセスログより前記ウェブサイトが有するウェブページの中の特定のウェブページまで所要の順番でアクセスが進んだか否かを判断する進行判断手段と、該進行判断手段が前記特定のウェブページまで所要の順番でアクセスが進んだと判断した場合、該アクセスに係るハイパーリンクを特定するリンク特定手段として機能させることを特徴とする。
【００２９】
第２０発明に係るコンピュータプログラムは、コンピュータに、ウェブサイトへアクセスを行わせたハイパーリンクを特定させるためのコンピュータプログラムにおいて、コンピュータを外部からハイパーリンクを特定する処理を開始させるトリガーを受け付けるトリガー受付手段と、該トリガー受付手段がトリガーを受け付けた場合、ハイパーリンクを特定するリンク特定手段として機能させることを特徴とする。
【００３０】
第１発明、第９発明、第１７発明及び第１９発明にあっては、特定のウェブページまで所要の順番でアクセスが行われた場合に対してハイパーリンクの特定を行うため、全てのアクセスに対してリンク特定処理を行うことがなくなる。その結果、上記条件に見合う場合にのみ、アクセスを導いたハイパーリンクを特定するため、効率的な特定処理が実現される。
【００３１】
第２発明及び第１０発明にあっては、特定のウェブページまで所要の順番でアクセスが行われた場合、識別データ及びアクセスに係るログデータに基づき、前記アクセスに係るハイパーリンクを特定するため、前記条件に対してアクセスを導いたハイパーリンクを確実に特定できるようになる。
【００３２】
第３発明及び第１１発明にあっては、契約の申込に係るページまでアクセスが行われた場合にハイパーリンクの特定を行うため、ビジネスに係るウェブサイトに対して好適な特定処理を行えるようになる。
【００３３】
第４発明及び第１２発明にあっては、契約の成立又は契約の成立に伴う行為の発生をサーバが特定した場合、ウェブサーバから得た申込完了データを解析サーバに送信することで、解析サーバがハイパーリンクを特定する処理を行うため、ウェブサーバにおける処理と関係しない現実世界における条件を満たす場合でもハイパーリンクの特定処理が可能になる。
【００３４】
第５発明及び第１３発明にあっては、ウェブサーバが前記契約の申込に係る申込完了データを作成すると共に、該申込完了データに対して契約の成立又は契約の成立に伴う行為の発生をサーバが特定して前記申込完了データを解析サーバへ送信するので、解析サーバが申込完了データ及びログデータに基づき、契約に係る申込が行われたアクセスに係るハイパーリンクを確実に特定できるようになる。
【００３５】
第６発明及び第１４発明にあっては、ウェブサーバが契約の申込を判断し、第１サーバが契約の申込に対して契約の成立又は契約の成立に伴う行為の発生を特定し、第２サーバが契約の申込に係るアクセスを識別するデータと第１サーバが特定した内容に係るデータとを組み合わせてデータベースを作成して解析サーバへ送信するため、解析サーバでウェブサーバにおける処理と関係しない条件に対しても前記データベースに基づき契約等に至ったアクセスのハイパーリンクを特定できるようになる。
【００３６】
第７発明及び第１５発明にあっては、前記契約は消費者金融取引にかかるものであるため、消費者金融取引に係る契約の申込を行うウェブサイトへアクセスを導いたハイパーリンクを確実に特定することが可能になる。
【００３７】
第８発明及び第１６発明にあっては、ウェブサーバが契約の申込を判断して契約の申込に係るデータをデータベースサーバへ送信し、契約管理サーバが契約の申込に対して契約の成立又は契約の成立に伴う行為の発生を特定して特定した内容に係るデータをデータベースサーバへ送信するため、データベースサーバでは契約の申込に係るアクセスを識別するデータと契約管理サーバが特定した内容に係るデータとを組み合わせてデータベースを作成できるようになる。
【００３８】
第１８発明及び第２０発明にあっては、外部から処理を開始させるトリガーを受け付けた場合、ハイパーリンクの特定を行うので、外部での条件に合わせてリンク特定処理を行えるようになる。
【発明の効果】
【００３９】
第１発明、第９発明、第１７発明及び第１９発明にあっては、特定のウェブページまで所要の順番でアクセスが行われた場合にアクセスを導いたハイパーリンクを特定するため、効率的に特定処理を行える。
第２発明及び第１０発明にあっては、特定のウェブページまで所要の順番でアクセスが行われた場合、識別データ及びアクセスに係るログデータに基づき前記アクセスに係るハイパーリンクを特定するため、前記条件でアクセスを導いたハイパーリンクを確実に特定できる。
【００４０】
第３発明及び第１１発明にあっては、契約の申込に係るページまでアクセスが行われた場合にハイパーリンクの特定を行うことで、ビジネスに係るウェブサイトに対して好適な特定処理を実現できる。
第４発明及び第１２発明にあっては、契約の成立又は契約の成立に伴う行為の発生をサーバが特定した場合、ウェブサーバから得た申込完了データを解析サーバに送信することで、解析サーバがハイパーリンクを特定する処理を行うため、ウェブサーバの処理と無関係な現実世界の条件に対してもハイパーリンクを特定できる。
【００４１】
第５発明及び第１３発明にあっては、ウェブサーバが前記契約の申込に係る申込完了データを作成すると共に、該申込完了データに対して契約の成立又は契約の成立に伴う行為の発生をサーバが特定して前記申込完了データを解析サーバへ送信するので、解析サーバが申込完了データ及びログデータに基づき、契約に係る申込が行われたアクセスに係るハイパーリンクを確実に特定できる。
【００４２】
第６発明及び第１４発明にあっては、ウェブサーバが契約の申込を判断し、第１サーバが契約の申込に対して契約の成立又は契約の成立に伴う行為の発生を特定し、第２サーバが契約の申込に係るアクセスを識別するデータと第１サーバが特定した内容に係るデータとを組み合わせてデータベースを作成して解析サーバへ送信するため、解析サーバでウェブサーバにおける処理と関係しない条件に対しても前記データベースに基づき契約等に至ったアクセスのハイパーリンクを特定できる。
【００４３】
第７発明及び第１５発明にあっては、前記契約は消費者金融取引にかかるものであるため、消費者金融取引に係る契約の申込を行うウェブサイトへアクセスを導いたハイパーリンクを確実に特定できる。
【００４４】
第８発明及び第１６発明にあっては、ウェブサーバが契約の申込を判断して契約の申込に係るデータをデータベースサーバへ送信し、契約管理サーバが契約の申込に対して契約の成立又は契約の成立に伴う行為の発生を特定して特定した内容に係るデータをデータベースサーバへ送信するため、データベースサーバでは契約の申込に係るアクセスを識別するデータと契約管理サーバが特定した内容に係るデータとを組み合わせてデータベースを作成でき、作成したデータベースをハイパーリンクの特定する処理に利用できる。
【００４５】
第１８発明及び第２０発明にあっては、外部から処理を開始させるトリガーに基づきハイパーリンクの特定を行うので、外部での条件に合わせてリンク特定処理を行える。
【発明を実施するための最良の形態】
【００４６】
図１は本発明の第１実施形態に係るハイパーリンク特定システム１を含む全体的なネットワーク構成示す概略図である。ハイパーリンク特定システム１は第１事業体Ｂ１に相当し、第１事業体Ｂ１は事業に係るウェブサイトを公開するウェブサーバ１０及び該ウェブサイトへアクセスを行わせたハイパーリンクを特定する解析サーバ４０を備え、インターネットのようなネットワークＮＷを通じて他の事業体Ｂ２、Ｂ３が有するウェブサーバ２０、３０と接続している。また、ネットワークＮＷには各ウェブサーバ１０、２０、３０へアクセスすることが可能なコンピュータユーザが有するコンピュータＰＣ１、ＰＣ２〜ＰＣｎ（ｎは整数）が接続されている。なお、コンピュータＰＣ１、ＰＣ２〜ＰＣｎ及び各事業体Ｂ２、Ｂ３のハード構成は本発明のハイパーリンク特定システム１に含まれない。
【００４７】
図２は、第１事業体Ｂ１のウェブサーバ１０が外部からのアクセスに応じて公開しているウェブサイトのトップページ２の表示画面を示し、このトップページ２には、例えば「ｈｔｔｐ：／／ｗｗｗ．ｘｙｚ．ｃｏ．ｊｐ」と云うＵＲＬが付されており、ネットワークＮＷに接続されたコンピュータＰＣ１、ＰＣ２〜ＰＣｎで前記ＵＲＬを指定すると、コンピュータＰＣ１、ＰＣ２〜ＰＣｎとウェブサーバ１０との接続が確立されて図２のトップページ２をコンピュータＰＣ１、ＰＣ２〜ＰＣｎで閲覧できるようになる。
【００４８】
また、図３（ａ）（ｂ）は、第２、３事業体Ｂ２、Ｂ３のウェブサーバ２０、３０が外部からのアクセスに応じて公開しているウェブサイトのウェブページ３、４の表示画面を示す。各ウェブページ３、４には、図２の第１事業体Ｂ１が公開するトップページ２のリンク先となるバナー広告ＢＮ１、ＢＮ２が設けてある。各バナー広告ＢＮ１、ＢＮ２は、第１事業体Ｂ１のウェブサーバ１０が公開するウェブサイトへアクセスを指定したハイパーリンクに相当している。
【００４９】
即ち、図３（ａ）のウェブページ３のバナー広告ＢＮ１には「ｈｔｔｐ：／／ｗｗｗ．ｘｙｚ．ｃｏ．ｊｐ／ｉｎｄｅｘ．ａｓｐ？ｉｄ＝０１−００７」と云うＵＲＬを規定されており、バナー広告ＢＮ１をクリックすることで、図２のトップページ２へアクセスが切り替わる。また、図３（ｂ）のウェブページ４のバナー広告ＢＮ２には「ｈｔｔｐ：／／ｗｗｗ．ｘｙｚ．ｃｏ．ｊｐ／ｉｎｄｅｘ．ａｓｐ？ｉｄ＝０１−００１」と云うＵＲＬが規定されており、バナー広告ＢＮ２をクリックすることで、上記と同様にトップページ２へアクセスが切り替わる。
【００５０】
なお、図３（ａ）（ｂ）のバナー広告ＢＮ１、ＢＮ２の各ＵＲＬの前半は、図２のトップページ２のＵＲＬと同一であるが、各ＵＲＬの後半にはプロモーション管理ＩＤと云う各バナー広告ＢＮ１、ＢＮ２固有の識別データが付されている。具体的には、図３（ａ）のバナー広告ＢＮ１では「？ｉｄ＝０１−００７」がプロモーション管理ＩＤに相当し、図３（ｂ）のバナー広告ＢＮ２では「？ｉｄ＝０１−００１」がプロモーション管理ＩＤに相当する。
【００５１】
図４は、第１事業体Ｂ１が有するウェブサーバ１０及び解析サーバ４０の内部構成を示すブロック図である。ウェブサーバ１０は、汎用のサーバコンピュータを用いており、ＣＰＵ１１を制御中枢としてＲＡＭ１２、ＲＯＭ１３、ハードディスク１４、ウェブ側Ｉ／Ｆ（インタフェイス）１５及び通信Ｉ／Ｆ１６を内部バス１０ａで接続した構成にしている。
【００５２】
ＣＰＵ１１は、後述するようにハードディスク１４に記憶される各種ＳＷ（ソフトウェア）により所要の制御及び処理を行うものである。ＲＡＭ１２はＣＰＵ１１により処理されたデータ・ファイル等が一時的に記憶されるものであり、ＲＯＭ１３はサーバコンピュータとしての基本的な処理内容が記憶されている。また、ウェブ側Ｉ／Ｆ１５は解析サーバ４０とのデータ送受を行うものであり、通信Ｉ／Ｆ１６はネットワークＮＷと接続されて外部のコンピュータユーザが有するコンピュータＰＣ１〜ＰＣｎのアクセスを受け付けると共に所要のデータを配信するものである。
【００５３】
ハードディスク１４には、基本（ＯＳ）ＳＷ、制御ＳＷ、ウェブサーバＳＷ等の各種ＳＷが予め記憶されると共に、外部からのアクセスに応じて公開する第１事業体Ｂ１のウェブサイトを形成する複数のウェブページに係るウェブコンテンツデータも予め記憶されている。本実施形態のウェブコンテンツデータには、図２に示すトップページ２に係るデータに加えて、図５（ａ）に示すような第１申込ページ５に係るデータ、図５（ｂ）に示す入力確認ページ６に係るデータ及び図６に示す申込完了ページ７に係るデータ等がある。よって、ウェブサーバ１０が公開するウェブサイトは上述した各ウェブページ２、５、６、７を有することになる。
【００５４】
また、トップページ２以外の各ページ５〜７も独自のＵＲＬを有しており、例えば、図５（ａ）の第１申込ページ５は「ｈｔｔｐ：／／ｗｗｗ．ｘｙｚ．ｃｏ．ｊｐ／ｍｏｕｓｉｋｏｍｉ１」、図５（ｂ）の入力確認ページ６は「ｈｔｔｐ：／／ｗｗｗ．ｘｙｚ．ｃｏ．ｊｐ／ｋａｋｕｎｉｎ」、図６の契約の申込に係る申込完了ページ７は「ｈｔｔｐ：／／ｗｗｗ．ｘｙｚ．ｃｏ．ｊｐ／ｋａｎｒｙｏ」と云うＵＲＬが夫々有している。なお、本実施形態では申込に係るページは、図５（ａ）の第１申込ページ５以外に、図示しない第２申込ページ及び第３申込ページが存在し、これらのページも「ｈｔｔｐ：／／ｗｗｗ．ｘｙｚ．ｃｏ．ｊｐ／ｍｏｕｓｉｋｏｍｉ２」、「ｈｔｔｐ：／／ｗｗｗ．ｘｙｚ．ｃｏ．ｊｐ／ｍｏｕｓｉｋｏｍｉ３」と云うＵＲＬを有している。
【００５５】
よって、第１事業体Ｂ１のウェブサーバ１０にアクセスして会員になる契約の申込を行うには、第１事業体Ｂ１のウェブサイト内でトップページ２から第１申込ページ５、第２申込ページ、第３申込ページ、入力確認ページ６を経て申込完了ページ７へとアクセスが遷移していくことになる。なお、このように切断されることなく、連続して遷移したアクセスの一群を１セッションと称す。
【００５６】
また、ハードディスク１４には、ＣＰＵ１１の処理に基づき作成されるウェブサーバ１０へのアクセスに係るＵＲＬを記録したログをログデータがアクセス毎に記憶される。本実施形態では、ウェブサーバ１０へのアクセス開始から切断までの１セッションに含まれるアクセスを特定できるように連続したアクセスに対してクッキー（セッションＩＤ：アクセス識別データに相当）を作成し、このクッキーを夫々記録したログデータになっている。また、ログデータには、各アクセスに対応するＵＲＬ及びその前にアクセスされていたＵＲＬをリファラーとして該アクセスのクッキーに対応付けて記録し、ページが遷移した順番を判断できる内容になっている。なお、ＣＰＵ１１はウェブサーバＳＷのプログラミング内容に基づき上述したログデータを作成する手段として機能する。
【００５７】
図７は、ＣＰＵ１１により作成されたログデータ８の一例である。このログデータ８は、ウェブサーバ１０のトップページ２にアクセスを受け付けた場合、受け付けたアクセスに係るセッションＩＤ（クッキー）を例えば「Ｃ０００１」とし、アクセスに係るＵＲＬ、リファラーとして該アクセスに対する直前のアクセス先、日付、及び、時間をアクセス毎に記憶している。よって、図７のログデータ８において、左欄のクッキーが「Ｃ０００１」で連続する部分は１セッションにおけるアクセスの遷移を示すログ内容であり、また、左欄のクッキーが「Ｃ０００２」で連続する部分は、前記とは異なるアクセスによる１セッションにおけるログ内容を示す。
【００５８】
さらに、トップページ２へアクセスされる前にアクセスされていた直前のアクセス先が図３（ａ）（ｂ）のウェブページ３、４のバナーＢＮ１、ＢＮ２である場合、リファラーにはプロモーション管理ＩＤも含めたＵＲＬが記録される。例えば、図３（ｂ）のウェブページ４のバナーＢＮ２をクリックすることで、図２のトップページ２へアクセスされた場合、リファラーには図７の１行目に示すように「ｈｔｔｐ：／／ｗｗｗ．ｘｙｚ．ｃｏ．ｊｐ／ｉｎｄｅｘ．ａｓｐ？ｉｄ＝０１−００１」が記録される（なお、図７では、各ＵＲＬにおける所要部分のみを表記）。
【００５９】
また、コンピュータユーザがＵＲＬを直接入力してウェブサーバ１０のトップページ２へアクセスした場合は、直前のアクセス先が存在しないため、リファラーには「Ｎｏ  リファラー」と記録される。
【００６０】
本実施形態では、上述したようにして作成されるログデータ８をハードディスク１４に記憶していき、午前０時になると、記憶したログデータ８をＣＳＶ形式にしてウェブ側Ｉ／Ｆ１５を通じて解析サーバ４０へ転送（送信）する処理をＣＰＵ１１が行うようにしている。なお、ＣＰＵ１１はウェブサーバＳＷのプログラミング内容に基づき上述したログデータを送信する手段として機能する。
【００６１】
一方、解析サーバ４０はリンク特定装置としても機能し、図４に示すように基本的な構成はウェブサーバ１０と同様であり、ＣＰＵ４１を制御中枢としてＲＡＭ４２、ＲＯＭ４３、ハードディスク４４及び解析側Ｉ／Ｆ（インタフェイス）４５を内部バス４０ａで接続した構成にしている。解析サーバ４０は、ウェブサーバ１０へアクセスを行わせたハイパーリンクの特定を行うものである。また、ＣＰＵ４１は、後述するハードディスク４４に記憶される各種ＳＷに基づき所要の処理を行う。なお、ＲＡＭ４２はＣＰＵ４１で処理されるデータ・ファイル等が一時的に記憶されるものであり、ＲＯＭ４３はコンピュータとしての基本的な処理内容が記憶されている。また、解析側Ｉ／Ｆ４５は、ウェブサーバ１０とのデータ送受を行うものである。
【００６２】
ハードディスク４４は、ウェブサーバ１０のハードディスク１４が記憶するものと同等な基本（ＯＳ）ＳＷ、制御ＳＷを記憶すると共に、ウェブサーバ１０から転送されてくるログデータ８の解析を行うコンピュータプログラムである解析ＳＷ及び記憶手段としてリンクの特定に用いられるプロモーション管理テーブルを記憶している。
【００６３】
図８は、ハードディスク４４が記憶するプロモーション管理テーブル９を示す。プロモーション管理テーブル９は、プロモーション管理ＩＤの数字部分と、そのプロモーション管理ＩＤが付されているハイパーリンクのページの内容（プロモーション先）とを対応づけた内容にしており、さらに、各プロモーション先からウェブサーバ１０へアクセスが行われた回数が計数値として記入されるものになっている。
【００６４】
具体的にプロモーション管理テーブル９は、図２のトップページ２は図３（ａ）（ｂ）の各ウェブページ３、４のバナーＢＮ１、ＢＮ２がリンク先になっているので、各バナーＢＮ１、ＢＮ２のプロモーション管理ＩＤの数字部分である「０１−００７」「０１−００１」と、各ウェブページ３、４の内容であるプロモーション先（ハイパーリンク）である「インターネットオークション」「町内商店街」とが対応付けられている。
【００６５】
また、ハードディスク４４に記憶されている解析ＳＷは、図２のトップページ２から６番目のウェブページ（特定のウェブページに相当）となる図６の申込完了ページ７までの連続したページの順番（図７のＣ０００１のセッション参照）でアクセスが行われた場合に、ウェブサーバ１０から転送されてきたログデータ８に対してログ解析をＣＰＵ４１に行わせる内容がプログラミングされている。この処理に関して具体的に、解析ＳＷは多量のログデータ８に対して１セッションのアクセス中にトップページ２から上述した順番の最後に「ｋａｎｒｙｏ」と云う文字を検索させることで行っており、この処理をＣＰＵ４１で行わせることをプログラミングしている。この検索により図２のトップページ２から申込完了ページ７までの連続した順番でアクセスが行われたかを判断できることになる。なお、ＣＰＵ４１は上述した検索に係る処理では申込完了ページ７までアクセスが進行したか否かを判断する進行判断手段として機能する。
【００６６】
さらに、解析ＳＷは、ＣＰＵ１１が「ｋａｎｒｙｏ」を検索した場合、上述の順番で申込完了ページ７までアクセスが進んだと判断して、検索したアクセスに係る同一のクッキーでまとめられた１セッション内におけるトップページ２に対するリファラーを抽出する処理をＣＰＵ４１に行わせることがプログラミングされている。さらに、また、解析ＳＷは、抽出したリファラーの内容（識別データ）からプロモーション管理テーブル９に基づきプロモーション先であるハイパーリンクを特定するリンク特定手段としてＣＰＵ４１を機能させる処理がプログラミングされている。なお、解析ＳＷには、特定したプロモーション先の回数をカウントしてプロモーション管理テーブル９に記入する処理をＣＰＵ４１に行わせる内容もプログラミングされている。
【００６７】
よって、解析サーバ４０では、上述したログ解析処理を行うことにより、全てのログデータ８を解析する必要がなくなり、必要な部分のみを解析して効率的なログ解析を実現している。
【００６８】
なお、図１に示す第２事業体Ｂ２のウェブサーバ２０及び第３事業体Ｂ３のウェブサーバ３０は、第１事業体Ｂ１のウェブサーバ１０と同様な構成であり、ネットワークＮＷを通じてコンピュータＰＣ１〜ＰＣｎからアクセスを受信すると、図３（ａ）（ｂ）のトップページ３、４を閲覧できるようにしている。
【００６９】
次に、上述したハイパーリンク特定システム１が行うハイパーリンク特定方法において主にウェブサーバ１０側での具体的な処理手順を図９の第１フローチャートに基づいて説明する。
先ず、ウェブサーバ１０は第１事業体Ｂ１のウェブサイトへネットワークＮＷを通じて新規アクセスを受け付けたか否かを判断する（Ｓ１）。新規アクセスを受け付けていない場合（Ｓ１：ＮＯ）、ウェブサーバ１０は新規アクセスを待つ状態になり、新規アクセスを受け付けた場合（Ｓ１：ＹＥＳ）、新規アクセスに係るログデータを作成し（Ｓ２）、トップページをアクセス元となるコンピュータに表示させる（Ｓ３）。
【００７０】
この状態でウェブサーバ１０は、次ページへのアクセスを受け付けたか否かを判断する（Ｓ４）。次ページへのアクセスを受け付けない場合（Ｓ４：ＮＯ）、後述するアクセスが切断されたか否かを判断する段階（Ｓ８）へ進む。また、次ページへのアクセスを受け付けた場合（Ｓ４：ＹＥＳ）、該アクセスに係るログデータを作成し（Ｓ５）、次のウェブページをアクセス元となるコンピュータに表示させる（Ｓ６）。
【００７１】
さらに、ウェブサーバ１０は、この状態で再度、次ページへのアクセスを受け付けたか否かを判断し（Ｓ７）、次ページへのアクセスを受け付けた場合（Ｓ７：ＹＥＳ）、受け付けたログデータを作成する段階（Ｓ５）へ戻り、以降、次ページのアクセスを受け付ける毎にログデータの作成（Ｓ５）から次ページへのアクセス判断（Ｓ７）までを繰り返すことになる。
【００７２】
また、次ページへのアクセスを受け付けない場合（Ｓ７：ＮＯ）、及び、上述した先の段階で次ページのアクセスを受け付けない場合（Ｓ４：ＮＯ）、ウェブサーバ１０は、１セッションとなるアクセスが切断されたか否かを判断する（Ｓ８）。アクセスが切断されていない場合（Ｓ８：ＮＯ）、次ページへのアクセス受付を判断する段階（Ｓ７）へ戻り、アクセスが切断された場合（Ｓ８：ＹＥＳ）、ウェブサーバ１０は午前０時を経過したか否かを判断する（Ｓ９）。
【００７３】
午前０時を経過していない場合（Ｓ９：ＮＯ）、最初の新規アクセスの受付を判断する段階（Ｓ１）へ戻り、午前０時を経過した場合（Ｓ９：ＹＥＳ）、ウェブサーバ１０は作成したログデータを解析サーバ４０へ転送する（Ｓ１０）。解析サーバ４０は転送されたログデータに基づきリンクを特定する処理を行う（Ｓ１１）。
【００７４】
図１０は、解析サーバ４０でのリンク特定方法に係る具体的な処理手順を示す第２フローチャートである。
解析サーバ４０は、先ず、ウェブサーバ１０から転送されたログデータに対して１セッションのアクセスに対して最初のページから順次アクセスが行われて上述した順番で「ｋａｎｒｙｏ」と云う文字が有るか否かの検索を行う（Ｓ２０）。「ｋａｎｒｙｏ」と云う文字を検索できなかった場合（Ｓ２０：ＮＯ）、そのまま処理を終了し、前記順番で「ｋａｎｒｙｏ」と云う文字を検索した場合（Ｓ２０：ＹＥＳ）、検索した「ｋａｎｒｙｏ」に係る申込完了ページ７のアクセスが含まれる１セッションにおけるトップページ２のアクセスに対するリファラーを抽出する（Ｓ２１）。
【００７５】
解析サーバ４０は、図８のプロモーション管理テーブル９に基づき抽出したリファラーの内容に対応するプロモーション先が存在するか否かを判断する（Ｓ２２）。対応するプロモーション先が存在しない場合（Ｓ２２：ＮＯ）、直接ＵＲＬを入力してアクセスされたことが想定され、リンクによりアクセスされていないことから処理を終了する。一方、対応するプロモーション先が存在する場合（Ｓ２２：ＹＥＳ）、対応したプロモーション先をリンク先として特定し（Ｓ２３）、該プロモーション先の計数値に「１」を加える処理を行う（Ｓ２４）。
【００７６】
このようにハイパーリンク特定システム１は、申込完了のあったアクセスに対してのみリンクの特定を行うため、効率的なリンク特定に係る処理を実現している。なお、アクセス数に応じてハイパーリンクを設けている者に報酬のような便益を図る場合は、計数値を便益の指標に利用できビジネスに係るウェブサイトに本発明を好適に利用できる。また、ハイパーリンク特定システム１は、申込完了に対してリンク特定に係る処理を行うため、インターネットを利用した消費者金融取引における契約の申込処理に好適である。さらに、ハイパーリンク特定システム１は、ハイパーリンクがバナー広告以外に電子メールの本文に直接ＵＲＬが記入されたものに対しても適用可能である。
【００７７】
なお、ハイパーリンク特定システム１及びハイパーリンク特定方法は上述した形態に限定されるものではなく、種々の変形例の適用が可能である。例えば、ハイパーリンクの特定を行うアクセスは申込完了に係るものに限定されるものではなく、例えば、複数のウェブページから構成されるウェブサイトに対するアクセスで、特定のウェブページまでアクセスされたか否かを判断し、前記特定のウェブページまでアクセスされたことを判断した場合、前記特定のウェブページまでアクセスされた１セッションに対しリンク特定を行うようにしてもよい。また、リンクの特定には上述したようにクッキーを利用する以外に、他の周知のリンク特定に用いられる技術を利用することが可能である。
【００７８】
図１１は、本発明の第２実施形態に係るハイパーリンク特定システムにおける第１事業体Ｂ１０の構成を示すブロック図である。第２実施形態のリンク特定システムは、図１の第１実施形態のハイパーリンク特定システム１の第１事業体Ｂ１が図１１の第１事業体Ｂ１０に代替した構成であり、第２事業体Ｂ２及び第３事業体Ｂ３の構成は第１実施形態と同様である。よって、第２事業体Ｂ２及び第３事業体Ｂ３の各ウェブサーバ２０、３０が図３（ａ）（ｂ）に示すトップページ３、４を公開しており、各トップページ３、４のバナーＢＮ１、ＢＮ２が図１１の第１事業体Ｂ１０のウェブサーバ５０が公開するウェブサイトにリンクされている。なお、図１１のウェブサーバ５０、データベースサーバ６０、及びメインフレーム７０は、連携して後述するようにデータベースサーバ６０でハイパーリンクの特定に利用されるデータベースを作成するため、データベース作成システムとしても機能する。
【００７９】
第２実施形態の第１事業体Ｂ１０は消費者金融取引に係る事業を行っており、ウェブサーバ５０及び解析サーバ８０に加えてデータベースサーバ６０（第２サーバに相当）及びメインフレーム７０（第１サーバ、契約管理サーバに相当）を備えている。ウェブサーバ５０は、基本的に図４に示す第１実施形態のウェブサーバ１０と同等な内部構成を有しており、外部からのアクセスに応じて図２、５、６の各ウェブページ２、５、６、７を提供している。
【００８０】
第２実施形態のウェブサーバ５０が第１実施形態のウェブサーバ１０とハード的に異なる点としては、ウェブ側Ｉ／Ｆ（第１実施形態のウェブ側Ｉ／Ｆ１５に相当）を通じて解析サーバ８０及びデータベースサーバ６０と接続していることが挙げられる。また、処理内容的に異なる点としては、外部からのアクセスにより図６の申込完了ページ７にまで進み申込が行われたか否かを判断すること、申込が行われたことを判断した場合、固有の数値及び記号が付された申込完了データを作成すること、この申込完了データ及び該申込完了データの作成に係るアクセスを識別するセッションＩＤであるクッキー（アクセス識別データに相当）とを対応付けてデータベースサーバ６０に送信すること、及び申込完了データをデータベースサーバ６０を経由してメインフレーム７０へ転送（送信）することが挙げられる。
【００８１】
よって、ウェブサーバ５０のハードディスクに記憶されるウェブサーバＳＷは、上述した処理内容を各手段としてＣＰＵに行わせることがプログラミングされている。
【００８２】
ウェブサーバ５０に接続されるデータベースサーバ６０には汎用のサーバコンピュータを適用しており、ＣＰＵ、ＲＡＭ、ＲＯＭ、ハードディスク及び接続用のＩ／Ｆが内部バスで接続された構成になっている。データベースサーバ６０は、図１２に示す申込完了データベース９０を作成するものである。データベースサーバ６０は、ウェブサーバ５０から送信されてくる上述の申込完了データ及びクッキー、並びに後述するメインフレーム７０から送信されてくる申込完了データ及び客一連番号に基づき申込完了データベース９０を作成する手段としてき機能している。具体的には、ウェブサーバ５０からの申込完了データとメインフレーム７０からの申込完了データとが同一で有る場合、同一の申込完了データに対応付けられているクッキー、及び客一連番号を組み合わせて申込完了データベース９０を作成している。なお、データベースサーバ６０は、作成した申込完了データベース９０は解析サーバ８０へ送信する。
【００８３】
なお、データベースサーバ６０のハードディスクには、コンピュータプログラムである処理ＳＷが記憶されており、この処理ＳＷは、上述した処理をデータベースサーバ６０のＣＰＵに行わせることを規定している。
【００８４】
一方、メインフレーム７０は、消費者金融取引において契約の申込が完了した会員に対する契約成立に伴う行為である貸付業務の発生を特定する管理処理を行っており、現実世界で貸付が発生した場合、貸付に係る各種データがメインフレーム７０に入力される。そのため、メインフレーム７０は図示しない貸付業務に係るネットワークとも接続されて会員に対する貸付の発生及び貸付金の返却等を管理している。メインフレーム７０にも汎用のコンピュータが適用されており、ＣＰＵ、ＲＡＭ、ＲＯＭ、ハードディスク及び接続用のＩ／Ｆが内部バスで接続された構成になっている。メインフレーム７０にも汎用のコンピュータが適用されており、ＣＰＵ、ＲＡＭ、ＲＯＭ、ハードディスク及び接続用のＩ／Ｆが内部バスで接続された構成になっている。
【００８５】
メインフレーム７０は各種管理処理を行っているが、本発明に係る処理としては、先ず、メインフレーム７０は、ウェブサーバ５０から送信されてきた申込完了データを受け付けると、該申込完了データに対応する会員の固有の客一連番号（完了番号データに相当）を作成している。また、メインフレーム７０は、作成した客一連番号及び申込完了データを対応付けてデータベースサーバ６０へ送信する処理を行う。さらに、メインフレーム７０は、貸付業務の発生を特定した場合、特定した貸付業務に係る会員の客一連番号をデータベースサーバ６０を介して解析サーバ８０へ送信する処理を行う。
【００８６】
メインフレーム７０のハードディスクには、上述した貸付業務の管理に係るコンピュータプログラムである管理ＳＷが記憶されており、この管理ＳＷは、メインフレーム７０のＣＰＵが上述した処理を行うことを規定している。
【００８７】
また、解析サーバ８０は、基本的に図４に示す第１実施形態の解析サーバ４０と同等な内部構成を有している。第２実施形態の解析サーバ８０が第１実施形態の解析サーバ４０とハード的に異なる点としては、解析側Ｉ／Ｆ（第１実施形態の解析側Ｉ／Ｆ４５に相当）を通じてウェブサーバ５０及びデータベースサーバ６０と接続していることが挙げられる。
【００８８】
解析サーバ８０が、第１実施形態と処理内容的に異なる点としては、ＣＰＵのリンク特定手段の処理内容が挙げられる。即ち、第２実施形態のＣＰＵは、予めハードディスクに記憶している図８に示すプロモーション管理テーブル９、データベースサーバ６０から転送された図１２に示す申込完了データベース９０、メインフレーム７０から転送されてきた客一連番号、及びウェブサーバ５０から転送されたログデータに基づき、貸付が発生した会員の申込が行われたときのアクセスに係るハイパーリンクを特定するリンク特定手段として機能している。
【００８９】
具体的にリンク特定処理は、先ず、解析サーバ８０は申込完了データベース９０に基づきメインフレーム７０からの客一連番号に組み合わされたクッキーを特定する。次に、解析サーバ８０は、特定したクッキーに係る一連のアクセスのトップページのＵＲＬを特定する。さらに解析サーバ８０は、特定したＵＲＬに付されたプロモーション管理ＩＤ（リファラー）を有するハイパーリンク（プロモーション先）を図８のプロモーション管理テーブル９に基づき特定している。なお、解析サーバ８０のハードディスクには、解析サーバ８０のＣＰＵが上述した各処理を行うことを規定した解析ＳＷが記憶されている。
【００９０】
また、上述した処理内容は、解析サーバ８０のＣＰＵにしてみると、外部（メインフレーム７０）から貸付発生に至った客一連番号と云うハイパーリンクを特定する処理を開始させるトリガーを受け付けた場合、ハイパーリンクの特定を行うことになり、ＣＰＵをトリガー受付手段及びリンク特定手段として機能させることと同意になる。なお、第２実施形態では、解析サーバ８０のＣＰＵは進行判断手段として機能していない。
また、第２実施形態のハイパーリンク特定システムは、上述した部分以外に関しては第１実施形態と同等の構成にしている。
【００９１】
次に、第２実施形態のハイパーリンク特定システムによるハイパーリンク特定方法に係るウェブサーバ５０の処理手順を図１３の第３フローチャートに基づいて説明する。なお、第３フローチャートの基本的な処理に流れは第１実施形態と同様である。
先ず、ウェブサーバ５０は第１事業体Ｂ１０のウェブサイトへネットワークＮＷを通じて新規アクセスを受け付けたか否かを判断し（Ｓ３０）、新規アクセスを受け付けていない場合（Ｓ３０：ＮＯ）、新規アクセス待ちの状態になり、新規アクセスを受け付けた場合（Ｓ３０：ＹＥＳ）、新規アクセスに係るログデータを作成し（Ｓ３１）、トップページをアクセス元となるコンピュータに表示させる（Ｓ３２）。
【００９２】
この状態でウェブサーバ５０は、次ページへのアクセスを受け付けたか否かを判断し（Ｓ３３）、次ページへのアクセスを受け付けない場合（Ｓ３３：ＮＯ）、アクセス切断の判断段階（Ｓ４０）へ進む。また、次ページへのアクセスを受け付けた場合（Ｓ３３：ＹＥＳ）、このアクセスに係るログデータを作成し（Ｓ３４）、次のウェブページをアクセス元となるコンピュータに表示させる（Ｓ３５）。
【００９３】
次に、ウェブサーバ５０は、図６に示す申込完了ページ７へアクセスが進み申込が完了したか否かを判断する（Ｓ３６）。申込が完了していない場合（Ｓ３６：ＮＯ）、次ページへのアクセスを判断する段階（Ｓ３３）へ戻る。また、申込が完了した場合（Ｓ３６：ＹＥＳ）、ウェブサーバ５０は申込完了に係るアクセスの１セッションに係る申込完了データを作成し（Ｓ３７）、作成した申込完了データをメインフレーム７０へ転送する（Ｓ３８）。さらに、ウェブサーバ５０は、申込完了データ及びその申込完了データの作成に係るクッキー（セッションＩＤ）を対応付けてデータベースサーバ６０へ転送する（Ｓ３９）。
【００９４】
その後、ウェブサーバ５０は、１セッションとなるアクセスが切断されたか否かを判断し（Ｓ４０）、アクセスが切断されていない場合（Ｓ４０：ＮＯ）、アクセスの切断待ちとなり、アクセスが切断された場合（Ｓ４０：ＹＥＳ）、午前０時になったか否かを判断する（Ｓ４１）。午前０時になっていない場合（Ｓ４１：ＮＯ）、最初の新規アクセスの受付を判断する段階（Ｓ３０）へ戻り、午前０時になった場合（Ｓ４１：ＹＥＳ）、ウェブサーバ１０は作成したログデータを解析サーバ８０へ転送する（Ｓ４２）。ログデータを転送した後は、データベースサーバ６０、メインフレーム７０及び解析サーバ８０の連携した処理によりハイパーリンクの特定が行われる。
【００９５】
図１４に示す第４フローチャートは第２実施形態のハイパーリンク特定方法に係るメインフレーム７０、データベースサーバ６０及び解析サーバ８０の連携した処理手順を示すものである。なお、上述した第１フローチャート及び第４フローチャートにおいてデータベースサーバ６０で図１２の申込完了データベース９０の作成に係る各処理は、データベース作成方法としての処理にも相当する。
【００９６】
メインフレーム７０は、上述したウェブサーバ５０から申込完了データを受け付けて会員固有の客一連番号を作成して、客一連番号と申込完了データとを対応付けてデータベースサーバ６０へ予め転送しており（図示せず）、客一連番号が作成された会員に対して貸付が発生したか否かを判断する（Ｓ５０）。貸付が発生していない場合（Ｓ５０：ＮＯ）、貸付が発生するまで処理待ちとなる。また、貸付が発生した場合（Ｓ５０：ＹＥＳ）、貸付が発生した会員の客一連番号を解析サーバ８０へ転送する（Ｓ５１）。なお、上述した客一連番号の転送でメインフレーム７０の処理は終了する。
【００９７】
次にデータベースサーバ６０は、メインフレーム７０から転送されてきた客一連番号及びウェブサーバ５０から転送されてきたクッキー（セッションＩＤ）を共通の申込完了データに基づき組み合わせて図１２に示す申込完了データベース９０を作成し、作成した申込完了データベースを解析サーバ８０へ転送する（Ｓ５２）。なお、上述した申込完了データベース９０の転送でデータベースサーバ６０の処理は終了する。
【００９８】
それから、解析サーバ８０は、転送されてきた申込完了データベース９０に基づきメインフレーム７０から送信された客一連番号に組み合わされたクッキーを特定すると共に、特定したクッキーに係るアクセスのトップページのＵＲＬに付されたプロモーション管理ＩＤをログデータ８に基づき特定する（Ｓ５３）。さらに解析サーバ８０は、図８のプロモーション管理テーブル９に基づき特定したプロモーション管理ＩＤに対応するプロモーション先が存在するか否かを判断する（Ｓ５４）。対応するプロモーション先が存在しない場合（Ｓ５４：ＮＯ）、ハイパーリンクによるアクセスでないため処理を終了する。一方、対応するプロモーション先が存在する場合（Ｓ５４：ＹＥＳ）、対応したプロモーション先をリンクとして特定し（Ｓ５５）、該プロモーション先の計数値に「１」を加える処理を行う（Ｓ５６）。
【００９９】
よって、第２実施形態のハイパーリンク特定システムは、ウェブサーバ５０へのアクセスとは処理の内容が異なるメインフレーム７０での貸付発生をトリガーとして解析サーバ８０でハイパーリンクの特定を行うため、各サーバ５０〜８０を連携させた一連の処理としてスムーズにリンク特定処理を行える。そのため、契約成立に伴う行為の発生と云う現実世界のビジネス上での行為に関連させて、ウェブ上で契約の申込が行われたアクセスに係るハイパーリンクの特定を行えるので、消費者金融取引に係るビジネスはもちろんのこと、契約の申込、契約成立等が生じる他のビジネス業種に関しても本発明は好適に利用できる。
【０１００】
なお、第２実施形態のハイパーリンク特定システム及びハイパーリンク特定方法は、上述した形態に限定されるものでなく、種々の変形例が存在する。例えば、メインフレーム７０は会員の貸付発生を特定する以外に、会員の契約成立を特定し、契約成立を特定した場合に、その会員の客一連番号を解析サーバ８０へ転送するようにしてもよい。
【０１０１】
また、データベースサーバ６０の機能をウェブサーバ５０が行える場合は、データベースサーバ６０を省略した構成にすることも可能である。このようにデータベースサーバ６０を省略した場合は、申込完了データを契約の申込が行われたアクセスに対応付けてアクセスに応じて作成するログデータに追加し、このようなログデータを解析サーバ８０へ転送する。また、メインフレーム７０では客一連番号を作成せず、送信されてきた申込完了データに対して契約の成立又は契約の成立に伴う行為の発生を特定し、特定した場合はその特定に対応する申込完了データを解析サーバ８０へ送信する。さらに解析サーバ８０では、ウェブサーバ５０からのログデータの中からメインフレーム７０から送信されてきた申込完了データに対応する１セッションのアクセスを特定し、以降、上記同様の処理を行うことでハイパーリンクの特定を簡易にして行うことができる。この場合、解析サーバ８０は、メインフレーム７０から申込完了データが転送されてきたことをトリガーにしてハイパーリンクの特定処理を行うことになる。
【０１０２】
なお、第２実施形態でも、クッキー及びプロモーション管理ＩＤを用いる以外の周知な技術で、申込が行われたアクセスに係るハイパーリンクを特定することが可能であり、バナー広告以外の電子メールの本文に記載されたハイパーリンクに対しても第２実施形態の発明は対応できる。
【図面の簡単な説明】
【０１０３】
【図１】本発明の第１実施形態に係るハイパーリンク特定システムを示す概略図である。
【図２】第１事業体のトップページの内容を示す概略図である。
【図３】（ａ）は第２事業体のトップページの内容を示す概略図であり、（ｂ）は第３事業体のトップページの内容を示す概略図である。
【図４】ウェブサーバ及び解析サーバの構成を示すブロック図である。
【図５】（ａ）は第１申込ページの内容を示す概略図、（ｂ）は入力確認ページの内容を示す概略図である。
【図６】申込完了ページの内容を示す概略図である。
【図７】ログデータの一例を示す図表である。
【図８】プロモーション管理テーブルの一例を示す図表である。
【図９】第１実施形態のハイパーリンク特定方法に係る主にウェブサーバでの処理手順を示す第１フローチャートである。
【図１０】第１実施形態のハイパーリンク特定方法に係る解析サーバでの処理手順を示す第２フローチャートである。
【図１１】第２実施形態に係る第１事業体の構成を示すブロック図である。
【図１２】申込完了データベースの一例を示す図表である。
【図１３】第２実施形態のハイパーリンク特定方法に係るウェブサーバでの処理手順を示す第３フローチャートである。
【図１４】第２実施形態のハイパーリンク特定方法に係る処理手順を示す第４フローチャートである。
【符号の説明】
【０１０４】
１  ハイパーリンク特定システム
５  第１申込ページ
６  入力確認ページ
７  申込完了ページ
８  ログデータ
９  プロモーション管理テーブル
１０、５０  ウェブサーバ
４０、８０  解析サーバ
６０  データベースサーバ
７０  解析サーバ
９０  申込完了データベース
Ｂ１、Ｂ１０  第１事業体
Ｂ２  第２事業体
Ｂ３  第３事業体
ＰＣ１〜ＰＣｎ  コンピュータ
ＮＷ  ネットワーク
【図１】
2007109096.tif 000003
【図２】
2007109096.tif 000004
【図３】
2007109096.tif 000005
【図４】
2007109096.tif 000006
【図５】
2007109096.tif 000007
【図６】
2007109096.tif 000008
【図７】
2007109096.tif 000009
【図８】
2007109096.tif 000010
【図９】
2007109096.tif 000011
【図１０】
2007109096.tif 000012
【図１１】
2007109096.tif 000013
【図１２】
2007109096.tif 000014
【図１３】
2007109096.tif 000015
【図１４】
2007109096.tif 000016